(57)【要約】【課題】クレーンなどのほかに、ハンドリフターでも運搬することができる金属閉鎖形スイッチギヤを提供する。【解決手段】遮断器のような収納機器を収納する筐体１と、筐体１の床面板１ｂから床側に設けられるとともに、ハンドリフター７の爪７ａが挿入できる開口部１ａ２を有する架台部材と、を具備したことを特徴とする。【選択図】  図１
2013094014.tif 000002
【特許請求の範囲】
【請求項１】
収納機器を収納する筐体と、
前記筐体の床面側に設けられるとともに、ハンドリフターが挿入できる開口部を有する架台部材と、
を具備したことを特徴とする金属閉鎖形スイッチギヤ。
【請求項２】
前記架台部材は、前記筐体を構成する側面板を床面側に延ばし、端部をＬ字状に折り曲げたものであることを特徴とする請求項１に記載の金属閉鎖形スイッチギヤ。
【請求項３】
前記架台部材は、断面コ字状の固定架台であり、コ字状の底面が前記筐体の床面板に固定されていることを特徴とする請求項１に記載の金属閉鎖形スイッチギヤ。
【請求項４】
前記架台部材は、断面ロ字状の固定架台であり、ロ字状の一辺が前記筐体の床面板に固定されていることを特徴とする請求項１に記載の金属閉鎖形スイッチギヤ。
【請求項５】
前記架台部材の開口部を化粧板で覆うことを特徴とする請求項１乃至請求項４のいずれか１項に記載の金属閉鎖形スイッチギヤ。
【発明の詳細な説明】
【技術分野】
【０００１】
本発明の実施形態は、運搬、据付作業を容易とし得る金属閉鎖形スイッチギヤに関する。
【背景技術】
【０００２】
従来、金属閉鎖形スイッチギヤには、筐体の四隅に吊りボルトが設けられており、この吊りボルトにワイヤを掛け、クレーンで運搬されるようになっている（例えば、特許文献１参照。）。
【０００３】
この種の金属閉鎖形スイッチギヤを図４に示すが、筐体１の天井の四隅には、吊りボルト２が設けられ、ワイヤ３を掛けてクレーンで運搬されるようになっている。クレーン作業は、工場内での運搬に多用される。一方、現地でクレーン作業が困難な場所では、コロ４を用いた運搬が行われ、架台５に据付けるときには、ジャッキ６を用いることがある。
【先行技術文献】
【特許文献】
【０００４】
【特許文献１】特開２００２−２６２４１４号公報
【発明の概要】
【発明が解決しようとする課題】
【０００５】
本発明が解決しようとする課題は、金属閉鎖形スイッチギヤの運搬、据付作業にクレーンなどを用いており、玉掛け者、監視者、合図者、操作者など多数の作業者が必要であり、困難な作業となっていたので、容易に運搬することのできる金属閉鎖形スイッチギヤを提供することにある。
【課題を解決するための手段】
【０００６】
上記課題を解決するために、実施形態の金属閉鎖形スイッチギヤは、収納機器を収納する筐体と、前記筐体の床面側に設けられるとともに、ハンドリフターが挿入できる開口部を有する架台部材と、を具備したことを特徴とする。
【図面の簡単な説明】
【０００７】
【図１】本発明の実施例１に係る金属閉鎖形スイッチギヤの構成を示す斜視図。
【図２】本発明の実施例２に係る金属閉鎖形スイッチギヤの構成を示す要部斜視図。
【図３】本発明の実施例３に係る金属閉鎖形スイッチギヤの構成を示す要部斜視図。
【図４】従来の金属閉鎖形スイッチギヤの運搬作業を説明する斜視図。
【発明を実施するための形態】
【０００８】
以下、図面を参照して本発明の実施例を説明する。
【実施例１】
【０００９】
先ず、本発明の実施例１に係る金属閉鎖形スイッチギヤを図１を参照して説明する。図１は、本発明の実施例１に係る金属閉鎖形スイッチギヤの構成を示す斜視図である。なお、従来と同様の構成部分は、同一符号を付した。
【００１０】
図１に示すように、筐体１を構成する側面板１ａは、床面板１ｂを通り過ぎ、床面側に延びており、端部が内側にＬ字状に折り曲げられた折り曲げ部１ａ１となっている。折り曲げ部１ａ１には、ハンドリフター７の爪７ａが挿入できる複数の開口部１ａ２が設けられている。ハンドリフター７は、例えばフォーク式ハンドパレットであり、手動の油圧で数トン積載できるものとする。
【００１１】
筐体１の正面側と背面側には、断面コ字状のベース８が床面板１ｂと床面の間に嵌め込まれ、固定されるようになっている。側面には、美観とともに、小動物などの侵入を防ぐ化粧板９が固定されるようになっている。筐体１内には、遮断器などの収納機器が収納される。
【００１２】
このような構成において、運搬時には、ハンドリフター７の爪７ａを開口部１ａ２に挿入し、ジャッキアップして所定の場所に運搬する。ハンドリフター７では、運搬が必要最少人数で済み、作業が容易となる。据付時には、折り曲げ部１ａ１の床面側をアンカーボルトに固定し、ベース８を嵌め込み固定する。ベース８により、筐体１の重量などの機械的強度を持たせる。そして、列盤した最外盤や単独盤には、化粧板９を固定し、開口部１ａ２を覆う。なお、ハンドリフター７を正面側や背面側から挿入してもよく、爪７ａにゴムなどの緩衝材を設けと運搬時の衝撃を和らげることができる。
【００１３】
ここで、床面板１ｂと床面間に設けられ、ハンドリフター７の爪７ａを挿入することができる開口部１ａ２を有する折り曲げ部１ａ１を、ハンドリフターが挿入できる開口部を有する架台部材と称する。
【００１４】
なお、クレーンなどが設置され、容易に運搬できる場合には、従来と同様に、天井面に吊りボルトを設けることができるが、金属閉鎖形スイッチギヤの構造を、ハンドリフター７でも運搬できるものとする。
【００１５】
上記実施例１の金属閉鎖形スイッチギヤによれば、筐体１を構成する側面板１ａの床面側に、ハンドリフター７の爪７ａが挿入できる開口部１ａ２を有する折り曲げ部１ａ１を設けているので、ハンドリフター７で容易に運搬することができる。据付けでは、折り曲げ部１ａ１を床面に固定するとともに、ベース８を嵌め込むので、筐体１を強固に固定することができる。
【実施例２】
【００１６】
次に、本発明の実施例２に係る金属閉鎖形スイッチギヤを図２を参照して説明する。図２は、本発明の実施例２に係る金属閉鎖形スイッチギヤの構成を示す要部斜視図である。なお、この実施例２が実施例１と異なる点は、架台部材の構成である。図２において、実施例１と同様の構成部分においては、同一符号を付し、その詳細な説明を省略する。
【００１７】
図２に示すように、複数の断面コ字状の固定架台１０を所定の間隔を保って設けている。コ字状の底面を床面板１ｂにボルトなどで固定し、端面を床面に固定するようにしている。即ち、ハンドリフターが挿入できる架台部材を、側面板１ａと切り離している。
【００１８】
上記実施例２の金属閉鎖形スイッチギヤによれば、実施例１による効果のほかに、据付時に専用の架台がある場合、所定の場所まで運搬後、固定架台１０を取外し、専用の架台に固定することができる。
【実施例３】
【００１９】
次に、本発明の実施例３に係る金属閉鎖形スイッチギヤを図３を参照して説明する。図３は、本発明の実施例３に係る金属閉鎖形スイッチギヤの構成を示す要部斜視図である。なお、この実施例３が実施例２と異なる点は、固定架台の形状である。図３において、実施例２と同様の構成部分においては、同一符号を付し、その詳細な説明を省略する。
【００２０】
図３に示すように、複数の断面ロ字状の固定架台１１を所定の間隔を保って設けている。ロ字状の一辺の面を床面板１ｂにボルトなどで固定し、対向する面を床面に固定するようにしている。
【００２１】
上記実施例３の金属閉鎖形スイッチギヤによれば、実施例２と同様の効果を得ることができる。
【００２２】
以上述べたような実施形態によれば、ハンドリフターで金属閉鎖形スイッチギヤを運搬、据付けをすることができ、作業を容易とすることができる。
【００２３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２４】
１  筐体
１ａ  側面板
１ｂ  床面板
１ａ１  折り曲げ部
１ａ２  開口部
２  吊りボルト
３  ワイヤ
４  コロ
５  架台
６  ジャッキ
７  ハンドリフター
７ａ  爪
８  ベース
９  化粧板
１０、１１  固定架台
【図１】
2013094014.tif 000003
【図２】
2013094014.tif 000004
【図３】
2013094014.tif 000005
【図４】
2013094014.tif 000006